(57)【要約】【課題】  予約した通信を確実に実行することができる通信端末装置を提供する。【解決手段】  ネットワークを介して通信を行う通信手段１０と、通信の実行を指示する指示手段７０と、任意の時間内で通信手段１０を介して第１の通信を実行するように通信の開始時間と終了時間を予約する予約手段３０と、前記開始時間の所定時間前より前記終了時間までの間に通信手段１０を介して前記第１の通信以外の第２の通信を実行しようとすると、ユーザーに対して予約がある旨を報知する報知手段６０と、該報知手段６０による報知後に、指示手段７０により前記第２の通信を実行する指示がされたとき第２の通信を実行するように制御する制御手段３０とを備えたことを特徴とする。【選択図】      図２
2006108726.tif 000002
【特許請求の範囲】
【請求項１】
ネットワークを介して通信を行う通信手段と、
通信の実行を指示する指示手段と、
任意の時間内で前記通信手段を介して第１の通信を実行するように通信の開始時間と終了時間を予約する予約手段と、
前記開始時間の所定時間前より前記終了時間までの間に前記通信手段を介して前記第１の通信以外の第２の通信を実行しようとすると、ユーザーに対して予約がある旨を報知する報知手段と、
該報知手段による報知後に、前記指示手段により前記第２の通信を実行する指示がされたとき第２の通信を実行するように制御する制御手段と
を備えたことを特徴とする通信端末装置。
【請求項２】
ネットワークを介して通信を行う通信手段と、
通信の実行を指示する指示手段と、
任意の時間内で前記通信手段を介して第１の通信を実行するように通信の開始時間と終了時間を予約する予約手段と、
前記通信手段を介して前記第１の通信以外の第２の通信の実行中に前記開始時間の所定時間前になると、ユーザーに対して予約がある旨を報知する報知手段と、
該報知手段による報知後に、前記指示手段により前記第２の通信を実行する指示がされたとき第２の通信を実行するように制御する制御手段と
を備えたことを特徴とする通信端末装置。
【請求項３】
請求項１又は２に記載の通信端末装置において、
前記第１の通信はパケット交換方式のデータ通信であり、前記第２の通信はパケット交換方式のデータ通信又は回線交換方式の音声通信であることを特徴とする通信端末装置。
【請求項４】
請求項１ないし３のいずれか１つに記載の通信端末装置において、
前記所定時間は、前記第２の通信を実行する通信用プログラムに応じて変更するようにしたことを特徴とする通信端末装置。
【請求項５】
ネットワークを介して通信を行う通信手段と、
任意の時間内で前記通信手段を介して第１の通信を実行するように通信の開始時間と終了時間を予約する予約手段と、
前記開始時間の所定時間前より前記終了時間の間に前記通信手段を介して前記第１の通信以外の第２の通信を実行しようとすると、ユーザーに対して予約がある旨を報知し、前記第２の通信を実行しないように制御する制御手段と
を備えたことを特徴とする通信端末装置。
【発明の詳細な説明】
【技術分野】
【０００１】
本発明は、例えば携帯電話機のような通信端末装置に関するものである。
【背景技術】
【０００２】
近年、携帯電話機等の無線通信端末の高度化・多機能化に伴い、音声通話にとどまらず高速なデータ通信が行えるようになってきており、ネットワークを介して画像や映像の情報、例えばテレビ番組のような大容量の動画や音声の情報をダウンロードする等の使われ方がされている。さらに、このようなダウンロード等の通信をユーザーが都合のいい日時に行うことができるように、ユーザーが予約した開始時間に自動的にダウンロードを行う携帯通信端末が考えられている（特許文献１参照）。
【特許文献１】特開２００２−３００６４９号公報
【発明の開示】
【発明が解決しようとする課題】
【０００３】
しかしながら、特許文献１のようにネットワークを介しての通信を予約して自動的に情報のダウンロードを実行させる場合にあっては、ユーザが予約をしたにもかかわらず、予約した通信を実行する時間にユーザが予約した事実を忘れて、携帯通信端末を他のデータ通信に使用していたり、予約した通信を実行する時間に他のユーザとの音声通話に携帯通信端末を使用していたりすると、予約したダウンロードが実行されないという問題があった。
【０００４】
ネットワークを介しての通信によるダウンロードは特に、所定の日時のみにしか配信されないテレビ番組の録画予約の場合など、その予約した時間を逃すと取り返しのつかない場合が多いので、その損害の大きさは測り知れない。
【０００５】
また、ネットワークを介しての情報のダウンロードを行っている最中に、他のユーザーからの着信があると、ダウンロードが中止されてしまうおそれがあり、その場合は途中まで受信したデータが無駄になり、それにもかかわらず課金がされてしまうという問題がある。
【０００６】
そこで、本発明は、上記問題点に鑑みて、予約したネットワークを介しての通信を確実に実行することができる通信端末装置を提供することを課題とするものである。
【課題を解決するための手段】
【０００７】
上記課題を解決するために、請求項１に係る本発明は、
ネットワークを介して通信を行う通信手段と、
通信の実行を指示する指示手段と、
任意の時間内で前記通信手段を介して第１の通信を実行するように通信の開始時間と終了時間を予約する予約手段と、
前記開始時間の所定時間前より前記終了時間までの間に前記通信手段を介して前記第１の通信以外の第２の通信を実行しようとすると、ユーザーに対して予約がある旨を報知する報知手段と、
該報知手段による報知後に、前記指示手段により前記第２の通信を実行する指示がされたとき第２の通信を実行するように制御する制御手段とを備えたことを特徴とするものである。
【０００８】
また、上記課題を解決するために、請求項２に係る本発明は、
ネットワークを介して通信を行う通信手段と、
通信の実行を指示する指示手段と、
任意の時間内で前記通信手段を介して第１の通信を実行するように通信の開始時間と終了時間を予約する予約手段と、
前記通信手段を介して前記第１の通信以外の第２の通信の実行中に前記開始時間の所定時間前になると、ユーザーに対して予約がある旨を報知する報知手段と、
該報知手段による報知後に、前記指示手段により前記第２の通信を実行する指示がされたとき第２の通信を実行するように制御する制御手段とを備えたことを特徴とするものである。
【０００９】
また、請求項１又は２に記載の通信端末装置において、
前記第１の通信はパケット交換方式のデータ通信であり、前記第２の通信はパケット交換方式のデータ通信又は回線交換方式の音声通信であることを特徴とするものである。
【００１０】
また、請求項１又は２に記載の通信端末装置において、
前記所定時間は、前記第２の通信を実行する通信用プログラムに応じて変更するようにしたことを特徴とするものである。
【００１１】
また、上記課題を解決するために、請求項５に係る本発明は、
ネットワークを介して通信を行う通信手段と、
任意の時間内で前記通信手段を介して第１の通信を実行するように通信の開始時間と終了時間を予約する予約手段と、
前記開始時間の所定時間前より前記終了時間の間に前記通信手段を介して前記第１の通信以外の第２の通信を実行しようとすると、ユーザーに対して予約がある旨を報知し、前記第２の通信を実行しないように制御する制御手段とを備えたことを特徴とするものである。
【発明の効果】
【００１２】
このような構成の携帯端末装置によれば、予約したネットワークを介しての通信を確実に実行することができる。
【発明を実施するための最良の形態】
【００１３】
以下、本発明の実施の形態について、図面に基づいて具体的に説明する。
図１ないし図７は、本発明の一実施の形態に係る携帯電話機５（通信端末装置）について説明するために参照する図である。
【００１４】
図１は、携帯電話機５の回路構成を示すブロック図である。その回路構成は、複数個の操作キーを備えたキー操作部７０（指示手段）、ＲＡＭ（Ｒａｎｄｏｍ  Ａｃｃｅｓｓ  Ｍｅｍｏｒｙ）等の記憶部４０、ＬＣＤ（Ｌｉｑｕｉｄ  Ｃｒｙｓｔａｌ  Ｄｉｓｐｌａｙ）等の表示部６０（報知手段）、音声の出力を行う音声出力部５０、アンテナ１０ａを含み復調や変調などの無線処理を行う送受信部１０（通信手段）、音声を電気信号に変換して入力する音声入力部５５、及び、上記各構成部を制御する制御部３０（制御手段）を有している。
【００１５】
ところで、本実施の形態では、制御部３０が予約手段として機能する。
【００１６】
本実施の形態に係る携帯電話機５は、通常の通話に用いられる回線交換方式の音声通信を行うと共に、パケット交換方式等によるデータ通信を、共通のアンテナ１０ａにより行うことができる。またこの携帯電話機５は、上記予約手段によりデータ通信の予約を行うことができ、特にデータ通信の通信データを受け取るダウンロードの予約を行うことができる。
【００１７】
すなわち、制御部３０は、ユーザーがキー操作部７０を操作して入力した日時に基づいて特定のサーバからのデータのダウンロードやテレビ放送番組の録画といった通信の予約を行うことができ、通信の開始時間・終了時間などの予約情報を記憶部４０に記憶すると共に、通信の開始時間になると送受信部１０を起動して通信を開始し、終了時間になると送受信部１０を停止して通信を終了する。
【００１８】
また、制御部３０は、予約した通信の開始時間（例えば、１３：００）から所定の時間（例えば、３０分）前に、予約した通信以外の通信の制限を開始するように設定する。この所定時間は、唯一決定される時間であってもよいが、予約した通信以外の通信を実行する通信用プログラムに応じて変更するようにしてもよい。例えば、音声通話のように１回の通信で比較的長時間、アンテナ１０ａを占有すると考えられる場合は、所定時間を長めに設定するのが好ましい。
【００１９】
また、制御部３０は、予約したダウンロードの開始時間より所定時間前になると、以後の他のデータ通信や音声通信を禁止したり、そのとき実行中のデータ通信や音声通信を停止したりする制御動作を行うようになっている。
【００２０】
このような携帯電話機５の動作手順について、以下に説明する。
ここで、携帯電話機５は、ユーザーの操作により設定された特定の日時（通信の開始時間１３：００）にダウンロードを行うように予約されており、予約したダウンロード以外の通信の制限を開始する所定時間が３０分に設定されているものとする。
まず、図２のフローチャートに基づいて、第１実施例に係る携帯電話機５の動作手順について説明する。
【００２１】
携帯電話機５が待受け状態でその表示部６０が待受け画面を表示しているときに、ユーザーが相手のユーザーと通話するための音声発信操作を行なうと（ステップＳ１）、制御部３０は番組データのダウンロード開始までの残り時間を判定し（ステップＳ２）、その残り時間が設定された所定時間３０分より長い場合は、上記音声発信操作の実行を制限することはない（ステップＳ３）。
【００２２】
ステップＳ２において、残り時間が上記所定時間３０分より短い場合は、例えば、図５に示すように、「あと３０分でダウンロードが開始します。本当に発信しますか？」という通知メッセージが表示部６０に表示される（ステップＳ４）。ユーザーはこれを見てダウンロードの予約をしていたことを思い出し、上記音声通信があまり大事な用件でない場合は音声発信操作を中止して（ステップＳ４においてＮＯ）、ダウンロードの予約・実行を優先させることができる。
【００２３】
ステップＳ４において、ダウンロードよりも音声通信（通話）の方が重要（緊急）であるとユーザーが判断したときは（ステップＳ４においてＹＥＳ）、音声通信の発信処理を選択し、その処理を続行させる（ステップＳ３）。このとき、表示部６に表示される通知メッセージを見ることで、ユーザーはあとどのくらいの時間で通話を終了すればよいかを確認することができる。
【００２４】
次に、図３のフローチャートに基づいて、第２実施例に係る携帯電話機５の動作手順について説明する。第２実施例では、携帯電話機５が待受け状態でその表示部６０が待受け画面を表示しているときに、携帯電話機５に着信報知が発生する（ステップＳ１）と、制御部３０は、番組データのダウンロード開始までの残り時間を判定し（ステップＳ２）、その残り時間が設定された所定時間３０分より長い場合は、上記着信応答の実行を制限することはない（ステップＳ３）。
【００２５】
ステップＳ２において、残り時間が上記所定時間３０分より短い場合は、例えば、図６に示すように、着信相手の電話番号や記憶部４０に記憶されている着信相手の名前と共に「あと３０分でダウンロードが開始します。本当に着信応答しますか？」という通知メッセージが表示部６０に表示される（ステップＳ４）。ユーザーはこれを見てダウンロードの予約をしていたことを思い出し、着信相手や残り時間から判断して緊急性を感じない場合は着信に応答せずに（ステップＳ４においてＮＯ）、ダウンロードの予約・実行を優先させることができる。
【００２６】
ステップＳ４において、ダウンロードよりも着信に応答することのほうが重要（緊急）であるとユーザーが判断したときは（ステップＳ４においてＹＥＳ）、着信の応答処理を選択し、その処理を続行させる（ステップＳ３）。このとき、表示部６０に表示される通知メッセージを見ることで、ユーザーはあとどのくらいの時間で通話を終了すればよいかを確認することができる。
【００２７】
次に、図４のフローチャートに基づいて、第３実施例に係る携帯電話機５の動作手順について説明する。携帯電話機５が音声通話中でその表示部６０が「音声通話中」を表示しているときに、制御部３０によりダウンロード開始までの残り時間を判定し（ステップＳ１）、残り時間が前記所定時間３０分より短い場合は音声入力部５５から警告音を出力すると共に表示部６０に、例えば、図７に示すように、「あと３０分でダウンロードが開始します。通話を終了しますか？」という通知メッセージを表示させる（ステップＳ２）。
【００２８】
警告音を聞いて表示部６０に表示された通知メッセージを見たユーザーは、ダウンロードの予約をしていたことを思い出し、通話相手や残り時間から判断して重要性を感じない場合は途中で通話を終了し（ステップＳ２においてＹＥＳ）、ダウンロードの予約・実行優先させることができる（ステップＳ４）。
【００２９】
ステップＳ２において、ダウンロードよりも通話を続けることのほうが重要であるとユーザーが判断したときは（ステップＳ４においてＮＯ）、通話を継続させる（ステップＳ３）。このとき、表示部６０に表示される通知メッセージを見ることで、ユーザーはあとどのくらいの時間で通話を終了すればよいかを確認することができるので、通話を続ける時間を調整することができる。
【００３０】
ステップＳ１において、残り時間が前記所定時間３０分より長いと判定された場合は、表示部６０には図７に示すような表示が出ないので、ユーザーは残り時間を気にすることなく通話に専念することができる。
【００３１】
このように、本実施の形態における第１ないし第３の実施例によれば、ユーザーがダウンロードを予約した時間を忘れていて、予約した時間近くに別の通信を行なおうとしても、この通信に対し警告することができるので、ユーザーにダウンロードを予約していたことを気付かせることができると共に、予約したダウンロード通信の失敗を未然に防ぐことができる。
【００３２】
また、ユーザーが予約した通信の開始時間を忘れてその開始時間近くに別の通信を行なっていても、この別の通信を終了するよう制御部３０が警告することができるので、ユーザーにダウンロードを予約していたことを事前に気付かせることができると共に、予約したダウンロード通信の失敗を未然に防ぐことができる。
【００３３】
このため、本発明によれば、予約した通信を確実に実行することができる。
【００３４】
なお、前記第１ないし第３の実施例では、第２の通信として音声通信について説明したが、これに限定されず、例えば、任意のＵＲＬからデータのダウンロードを行う通信や、任意のＵＲＬへデータのアップロードを行う通信などのデータ通信であってもよい。
【００３５】
また、予約したダウンロードの開始時間の前に設定する所定時間は、予約したダウンロードとは別の用途で通信を実行する通信用プログラムに応じて変更するようにしたことで、例えば、音声通話のように１回の通信で比較的長時間通信手段を占有すると考えられる場合は、所定時間を長目にすることにより、ダウンロードを予約してあることを早めにユーザーに気付かせることができる。
【００３６】
また、前記第１ないし第３の実施例では、通知メッセージが表示された後においては原則としてユーザーが第２の通信を実行しない選択を行う例を示したが、これに限定されず、要点は、ユーザーが第２の通信を実行する旨の指示を行わなければ第２の通信を実行しないということである。すなわち、通信メッセージが表示された後にユーザーが第２の通信を実行する旨の指示を行わなければ、自動的に第２の通信を実行せずに切断してもよい。
【００３７】
また、前記実施の形態においては、携帯電話機５について説明したが、本発明は携帯電話機に限定する必要は無く、本発明と同様の作用効果を有することができるものであれば、ＰＤＡ（Ｐｅｒｓｏｎａｌ  Ｄｉｇｉｔａｌ  Ａｓｓｉｓｔａｎｔ）のような、他の通信端末装置にも本発明は適用することができることはいうまでもない。
【図面の簡単な説明】
【００３８】
【図１】本発明の一実施の形態に係る携帯電話機の回路構成を示すブロック図である。
【図２】第１実施例に係る携帯電話機の動作手順を示すフローチャートである。
【図３】第２実施例に係る携帯電話機の動作手順を示すフローチャートである。
【図４】第３実施例に係る携帯電話機の動作手順を示すフローチャートである。
【図５】表示部６０の表示例を示す図である。
【図６】表示部６０の他の表示例を示す図である。
【図７】表示部６０の他の表示例を示す図である。
【符号の説明】
【００３９】
５  携帯電話機
１０  送受信部
１０ａ  アンテナ
３０  制御部
４０  記憶部
５０  音声出力部
５５  音声入力部
６０  表示部
７０  キー操作部
【図１】
2006108726.tif 000003
【図２】
2006108726.tif 000004
【図３】
2006108726.tif 000005
【図４】
2006108726.tif 000006
【図５】
2006108726.tif 000007
【図６】
2006108726.tif 000008
【図７】
2006108726.tif 000009